(57)【要約】【課題】綴じる用紙の枚数、綴じ位置によらず、用紙を確実に押さえて針を貫通させることが可能なステープラを提供する。【解決手段】ステープラ１Ａは、軸３２Ａを支点とした針打出ユニット２Ａに対する綴じユニット３Ａの回転動作で用紙Ｐを挟持する用紙挟持部４Ａを備え、用紙挟持部４Ａは、針１０Ａによる用紙Ｐの綴じ位置Ｐｉに合わせて針打出ユニット２Ａ側に設けられる第１の挟持部４０Ａと、第１の挟持部４０Ａに対向して綴じユニット３Ａに設けられる第２の挟持部４１Ａと、用紙Ｐの挿入方向の位置を規制する用紙位置規制部４２Ａと、第１の挟持部４０Ａと用紙位置規制部４２Ａとの間に設けられ、第１の挟持部４０Ａに対して凹状で、第１の挟持部４０Ａと第２の挟持部４１Ａとの間に挟持される用紙Ｐの端部Ｐｅ側を、針打出ユニット２Ａ側に退避させる用紙退避部４３Ａを備える。【選択図】図２
2018069638.tif 000002
【特許請求の範囲】
【請求項１】
針を打ち出して用紙に貫通させる針打出部と、
前記針打出部に取り付けられ、当該針打出部から打ち出される前の針を収納する針収納部と、
用紙を貫通した針の針足を折り曲げて用紙を綴じる綴じ部と、
軸を支点とした前記針打出部と前記綴じ部の相対的な回転動作で用紙を挟持する用紙挟持部を備え、
前記用紙挟持部は、
用紙の綴じ位置に合わせて前記針打出部側に設けられる第１の挟持部と、
前記第１の挟持部に対向して前記綴じ部に設けられる第２の挟持部と、
前記第１の挟持部と前記第２の挟持部との間に挟持される用紙の綴じ位置よりも端部側を退避させる用紙退避部を備えた
ことを特徴とするステープラ。
【請求項２】
前記用紙退避部は、前記第１の挟持部に対して凹状となる段差を設けて構成され、前記用紙の綴じ位置よりも端部側を、前記針打出部側に退避させる
ことを特徴とする請求項１に記載のステープラ。
【請求項３】
前記針収納部は、前記用紙挟持部に露出する挟持台を備え、前記挟持台に前記第１の挟持部と前記用紙退避部が形成される
ことを特徴とする請求項１に記載のステープラ。
【請求項４】
前記用紙挟持部は、用紙の挿入方向の位置を規制する用紙位置規制部を備え、
前記用紙退避部は、前記第１の挟持部と前記用紙位置規制部との間に形成される
ことを特徴とする請求項１または請求項３に記載のステープラ。
【発明の詳細な説明】
【技術分野】
【０００１】
本発明は、複数枚の用紙をステープルと称す針で綴じるステープラに関する。
【背景技術】
【０００２】
後処理装置に使用される電動のステープラでは、針を打ち出して用紙に貫通させる針打出部と、用紙を貫通した針の針足を折り曲げて用紙を綴じる綴じ部との位置精度を向上させるため、針打出部と綴じ部を軸で支持して一体化する技術が提案されている（例えば、特許文献１参照）。このような構成では、針打出部と綴じ部が軸を支点とした回転動作で開閉し、針打出部と綴じ部との間に用紙の束が挟持される。
【０００３】
用紙の端部から針による用紙の綴じ位置までの距離を選択できるようにするため、用紙の束を挟持する用紙挟持部は、用紙の挿入方向に所定の長さを有している。
【０００４】
さて、後処理装置に搭載される従来の電動のステープラでは、用紙を貫通した針の針足をカットする機構、カットされた針足を折り曲げて用紙を綴じる機構が綴じ部に設けられており、綴じ部側での用紙の挟持部が、用紙の挿入方向に沿って用紙挟持部の全体に形成されている（例えば、特許文献２参照）。
【先行技術文献】
【特許文献】
【０００５】
【特許文献１】特開２００１−１８１７６号公報
【特許文献２】特開２００５−１１９２４６号公報
【発明の概要】
【発明が解決しようとする課題】
【０００６】
軸を支点とした回転動作で、針打出部と綴じ部が開閉して用紙を挟持する用紙挟持部を構成するステープラでは、用紙を挟持する際に、針打出部と綴じ部との少なくとも一方が、軸を支点として回転動作するので、綴じられる用紙の枚数が増加して用紙の束の厚さが増加すると、用紙挟持部の間隔は、軸に近い側が狭くなる。
【０００７】
針による用紙の綴じ位置と用紙の端部との距離が長い場合、用紙挟持部に対する用紙の挿入量が大きくなる。この場合、綴じ部側の用紙の挟持部に、軸に近い側で用紙が接してしまい、綴じ位置に対向する部位の挟持部と用紙との間に隙間が生じる。
【０００８】
これにより、針が用紙を貫通する力に対し、用紙を綴じ位置で押さえることができず、用紙が変形する。このような用紙の変形やずれにより、用紙を貫通する針が意図せずに曲がる。針が意図せずに曲がると、針足をカットする機構及び針足を折り曲げる機構に針足の先端が入らず、綴じ不良が発生する可能性がある。
【０００９】
本発明は、そのような課題を解決するためなされたもので、綴じる用紙の枚数、綴じ位置によらず、用紙を確実に押さえて針を貫通させることが可能なステープラを提供することを目的とする。
【課題を解決するための手段】
【００１０】
上述した課題を解決するため、本発明は、針を打ち出して用紙に貫通させる針打出部と、針打出部に取り付けられ、針打出部から打ち出される前の針を収納する針収納部と、用紙を貫通した針の針足を折り曲げて用紙を綴じる綴じ部と、軸を支点とした針打出部と綴じ部の相対的な回転動作で用紙を挟持する用紙挟持部を備え、用紙挟持部は、用紙の綴じ位置に合わせて針打出部側に設けられる第１の挟持部と、第１の挟持部に対向して綴じ部に設けられる第２の挟持部と、第１の挟持部と第２の挟持部との間に挟持される用紙の綴じ位置よりも端部側を退避させる用紙退避部を備えたステープラである。
【００１１】
また、針で用紙を綴じるステープラを備えて、画像の形成された用紙に後処理を施す後処理装置であって、ステープラは、針を打ち出して用紙に貫通させる針打出部と、針打出部に取り付けられ、針打出部から打ち出される前の針を収納する針収納部と、用紙を貫通した針の針足を折り曲げて用紙を綴じる綴じ部と、軸を支点とした針打出部と綴じ部の相対的な回転動作で用紙を挟持する用紙挟持部を備え、用紙挟持部は、用紙の綴じ位置に合わせて針打出部側に設けられる第１の挟持部と、第１の挟持部に対向して綴じ部に設けられる第２の挟持部と、第１の挟持部と第２の挟持部との間に挟持される用紙の綴じ位置よりも端部側を退避させる用紙退避部を備えた後処理装置に好適なステープラである。
【００１２】
更に、用紙に画像を形成して出力する画像形成装置と、画像形成装置に接続されて用紙に後処理を施す上述した後処理装置を備えた画像形成システムに好適なステープラである。
【００１３】
軸を支点とした回転動作で、針打出部と綴じ部が開閉して用紙を挟持するステープラでは、第１の挟持部と第２の挟持部との間に所定枚数以上の用紙が挟持される場合、用紙挟持部の間隔は、第１の挟持部が設けられている位置より、軸に近い側が狭くなる。
【００１４】
本発明では、綴じ対象の用紙が所定の枚数以上で、かつ、綴じ位置と用紙の端部との距離が長い場合、所定の枚数以上の用紙が用紙挟持部で挟持されると、用紙の端部側が用紙退避部に退避する。
【００１５】
これにより、第１の挟持部と第２の挟持部との間に用紙を挟持し、綴じ位置の用紙が押さえられる。
【発明の効果】
【００１６】
本発明では、綴じる用紙の枚数、綴じ位置によらず、綴じ位置で用紙を押さえることができるので、針が用紙を貫通する動作で用紙の変形やずれが抑制され、用紙の変形やずれに起因する針の曲がりを抑制することができる。これにより、用紙を確実に綴じることができる。
【図面の簡単な説明】
【００１７】
【図１】本実施の形態のステープラの一例を示す側面図である。
【図２】本実施の形態のステープラの一例を示す要部側面図である。
【図３】ステープラに取り付けられる本実施の形態の針カートリッジの一例を示す斜視図である。
【図４】針で用紙を綴じる動作の一例を示す説明図である。
【図５】本実施の形態の画像形成システムの概要を示す構成図である。
【図６】本実施の形態の後処理装置の一例を示す構成図である。
【図７】従来のステープラで用紙を綴じる動作及び課題を示す説明図である。
【発明を実施するための形態】
【００１８】
以下、図面を参照して、本発明のステープラ、ステープラを備えた後処理措置、後処理装置を備えた画像形成システムの実施の形態について説明する。
【００１９】
＜本実施の形態のステープラの構成例＞
図１は、本実施の形態のステープラの一例を示す側面図、図２は、本実施の形態のステープラの一例を示す要部側面図である。また、図３は、ステープラに取り付けられる本実施の形態の針カートリッジの一例を示す斜視図である。更に、図４は、針で用紙を綴じる動作の一例を示す説明図である。
【００２０】
まず、図４を参照して、ステープラ１Ａで用紙Ｐを綴じる動作について説明する。ステープルと称す針１０Ａは、図４（ａ）に示すように、針クラウン１１Ａの両端が一の方向に折り曲げられて、針足１２Ａが形成される。すなわち、針１０Ａは、略コ字形状に成形される。
【００２１】
針１０Ａは、針クラウン１１Ａが押圧されることで、図４（ｂ）に示すように、針足１２Ａが用紙Ｐを貫通し、針クラウン１１Ａが用紙Ｐに接する。針足１２Ａが用紙Ｐを貫通した針１０Ａは、図４（ｃ）に示すように、針足１２Ａを折り曲げた際に互いに重なり合う針足１２Ａの余剰分がカット針１３Ａとしてカットされる。
【００２２】
針足１２Ａが所定の長さにカットされた針１０Ａは、図４（ｄ）に示すように、用紙Ｐを貫通した針足１２Ａが折り曲げられて、用紙Ｐが針１０Ａで綴じられる。
【００２３】
次に、各図を参照して、本実施の形態のステープラ１Ａの構成について説明する。ステープラ１Ａは、針１０Ａの供給及び打ち出しが行われる針打出ユニット２Ａと、針打出ユニット２Ａとの協働で、針１０Ａの針足１２Ａのカット及び針足１２Ａの折り曲げを行って、用紙Ｐを針１０Ａで綴じる綴じユニット３Ａを備える。また、ステープラ１Ａは、針打出ユニット２Ａと綴じユニット３Ａとの間に、針打出ユニット２Ａと綴じユニット３Ａとで用紙Ｐの束を挟持する用紙挟持部４Ａを備える。
【００２４】
以下の説明では、用紙挟持部４Ａが設けられる側をステープラ１Ａの前側とし、用紙挟持部４Ａが設けられる側と反対側を後側とする。また、綴じユニット３Ａが設けられる側をステープラ１Ａの上側とし、針打出ユニット２Ａが設けられる側をステープラ１Ａの下側とする。
【００２５】
針打出ユニット２Ａは針打出部の一例で、針１０Ａが収納された針収納部である針カートリッジ１００Ａが着脱可能に取り付けられる。針打出ユニット２Ａは、針カートリッジ１００Ａから針１０Ａを繰り出す繰り出し部２１Ａと、針１０Ａを用紙Ｐに打ち込む打出部２２Ａを備える。
【００２６】
針１０Ａは、本例では、直線状の複数本の針１０Ａが接着により一体とされた針シートとして提供され、複数の針シートが積載されて針カートリッジ１００Ａに収納される。打出部２２Ａは、針シートの搬送方向の最先端の１本の針１０Ａを打ち出す動作に連動して、２本目もしくは３本目の針１０Ａを、図４（ａ）等に示すように、略コ字形状に成形する。
【００２７】
綴じユニット３Ａは綴じ部の一例で、用紙Ｐを貫通した針１０Ａの針足１２Ａを、所定の長さでカットするカット部３０Ａと、用紙Ｐを貫通し、所定の長さにカットされた針１０Ａの針足１２Ａを、用紙Ｐの方向へ折り曲げるクリンチャ部３１Ａを備える。
【００２８】
用紙挟持部４Ａは、針１０Ａによる用紙Ｐの綴じ位置Ｐｉが、打出部２２Ａとクリンチャ部３１Ａとの間に位置できるようにするため、ステープラ１Ａの前側と、左右の両側の３方向が開口した形状である。
【００２９】
用紙挟持部４Ａは、針打出ユニット２Ａに第１の挟持部４０Ａを備え、綴じユニット３Ａに、第１の挟持部４０Ａと対向して第２の挟持部４１Ａを備える。ステープラ１Ａは、軸３２Ａを支点とした綴じユニット３Ａの回転動作で、綴じユニット３Ａが針打出ユニット２Ａに近づく方向に移動することで、第１の挟持部４０Ａと第２の挟持部４１Ａの間に用紙Ｐが挟持される。
【００３０】
用紙挟持部４Ａは、矢印ａで示す用紙Ｐの挿入方向の位置を規制する用紙位置規制部４２Ａを備える。用紙位置規制部４２Ａは、矢印ａで示す用紙Ｐの挿入方向に対して、用紙挟持部４Ａの奥側で第１の挟持部４０Ａと第２の挟持部４１Ａとの間に突出する。これにより、用紙挟持部４Ａに挿入された用紙Ｐが、用紙位置規制部４２Ａより奥側に挿入されることが規制される。
【００３１】
針カートリッジ１００Ａは針収納部の一例で、図１に示す打出部２２Ａで打ち出される針１０Ａをガイドする針ガイド部１０１Ａが、図３に示すように、図示しない針シートの搬送方向の先端側に設けられる。針カートリッジ１００Ａは、針ガイド部１０１Ａの前側を覆うガイド部材１０２Ａが、ケース１０３Ａに対して開閉可能に取り付けられる。針カートリッジ１００Ａは、ケース１０３Ａが樹脂で構成され、ガイド部材１０２Ａが金属で構成される。針カートリッジ１００Ａは、針打出ユニット２Ａに取り付けられると、針ガイド部１０１Ａ及び針ガイド部１０１Ａの前側のガイド部材１０２Ａと後側のケース１０３Ａが、第２の挟持部４１Ａと対向して用紙挟持部４Ａに露出する。
【００３２】
第１の挟持部４０Ａは、針カートリッジ１００Ａの針ガイド部１０１Ａ及び針ガイド部１０１Ａの前後の所定の範囲に、針カートリッジ１００Ａの幅方向の全体に延在する所定の形状の面を設けて構成される。
【００３３】
本例では、用紙挟持部４Ａに露出する針ガイド部１０１Ａの後側のケース１０３Ａで挟持台４５Ａが構成され、第１の挟持部４０Ａは、針ガイド部１０１Ａの後側に隣接する挟持台４５Ａの所定の範囲に、針カートリッジ１００Ａの幅方向の全体に延在する平面を設けて構成される。
【００３４】
用紙挟持部４Ａは、第１の挟持部４０Ａと第２の挟持部４１Ａとの間に挟持される用紙Ｐの綴じ位置Ｐｉよりも端部Ｐｅ側を退避させる用紙退避部４３Ａを備える。用紙退避部４３Ａは、第１の挟持部４０Ａと用紙位置規制部４２Ａとの間の針カートリッジ１００Ａに、第１の挟持部４０Ａに対して凹状となる所定の形状の面、本例では平面を設けて構成される。
【００３５】
これにより、挟持台４５Ａは、第１の挟持部４０Ａと用紙退避部４３Ａの間に、針カートリッジ１００Ａの幅方向の全体に延在し、第１の挟持部４０Ａに対して用紙退避部４３Ａ側が下がる段差が形成される。
【００３６】
ここで、綴じユニット３Ａは、第２の挟持部４１Ａの上側にカット部３０Ａとクリンチャ部３１Ａを備えており、第２の挟持部４１Ａが用紙位置規制部４２Ａまで延在している。
【００３７】
ステープラ１Ａは、軸３２Ａを支点とした回転動作で針打出ユニット２Ａに対して綴じユニット３Ａが開閉するので、用紙挟持部４Ａの間隔は、第１の挟持部４０Ａが設けられている位置より、軸３２Ａに近い用紙位置規制部４２Ａ側が狭くなる。
【００３８】
そこで、第１の挟持部４０Ａに対して凹状となる用紙退避部４３Ａを、第１の挟持部４０Ａより用紙位置規制部４２Ａに近い側に設けることで、用紙退避部４３Ａが設けられた位置では、用紙挟持部４Ａの間隔Ｌが広げられる。
【００３９】
これにより、用紙挟持部４Ａは、第１の挟持部４０Ａと第２の挟持部４１Ａとの間に、所定枚数以上の用紙Ｐが挟持される場合に、用紙退避部４３Ａが、当該用紙Ｐの端部Ｐｅ側を針打出ユニット２Ａ方向に退避させる空間を形成する。
【００４０】
用紙挟持部４Ａは、第１の挟持部４０Ａと第２の挟持部４１Ａとの間で挟持される用紙Ｐを押圧する押圧凸部４４Ａを備える。押圧凸部４４Ａは、針ガイド部１０１Ａから打ち出される針１０Ａによる綴じ位置Ｐｉに対し、第２の挟持部４１Ａの矢印ａで示す用紙Ｐの挿入方向の手前側の位置に、第１の挟持部４０Ａの方向に突出する凸部を設けて構成される。
【００４１】
ステープラ１Ａは、針打出ユニット２Ａと綴じユニット３Ａを開閉すると共に、針打出ユニット２Ａの繰り出し部２１Ａ及び打出部２２Ａと、綴じユニット３Ａのカット部３０Ａ及びクリンチャ部３１Ａを駆動する駆動部５Ａを備える。
【００４２】
駆動部５Ａは、針打出ユニット２Ａに設けられたモータ５０Ａに駆動されるカム５１Ａと、カム５１Ａの動作を各部に伝達する図示しないリンク等を備える。
【００４３】
ステープラ１Ａは、カム５１Ａの動作がリンク等を介して綴じユニット３Ａに伝達されることで、針打出ユニット２Ａと綴じユニット３Ａが離接する方向に相対移動する。本例は、軸３２Ａを支点とした回転動作で、綴じユニット３Ａが針打出ユニット２Ａに対して離接する方向に移動する。
【００４４】
ステープラ１Ａは、カム５１Ａが一方向に回転する動作で、綴じユニット３Ａが針打出ユニット２Ａに近づく方向に移動して、所定のタイミングで用紙Ｐを用紙挟持部４Ａで挟持する。また、ステープラ１Ａは、カム５１Ａが更に一方向に回転する動作で、所定のタイミングで綴じユニット３Ａが針打出ユニット２Ａから離れる方向に移動して、用紙挟持部４Ａでの用紙Ｐの挟持を解除する
【００４５】
また、ステープラ１Ａは、カム５１Ａの動作がリンク等を介して繰り出し部２１Ａ及び打出部２２Ａに伝達され、カム５１Ａが１方向に回転する動作で、針カートリッジ１００Ａに収納された針１０Ａを繰り出し部２１Ａにより繰り出し、繰り出された針１０Ａの最先端の１本を、用紙挟持部４Ａで挟持された用紙Ｐに打出部２２Ａで打ち込んで、針１０Ａの針足１２Ａを用紙Ｐに貫通させる。また、２本目もしくは３本目の針１０Ａを、図４（ａ）等に示すように、略コ字形状に成形する。
【００４６】
更に、ステープラ１Ａは、カム５１Ａの動作がリンク等を介してカット部３０Ａ及びクリンチャ部３１Ａに伝達され、カム５１Ａが一方向に回転する動作で、用紙Ｐを貫通した針１０Ａの針足１２Ａをカット部３０Ａで所定の長さでカットし、所定の長さにカットされた針１０Ａの針足１２Ａをクリンチャ部３１Ａで折り曲げる。
【００４７】
ステープラ１Ａは、カット部３０Ａでカットされたカット針１３Ａを収納するカット針収納部６Ａを備える。カット針収納部６Ａは、用紙挟持部４Ａが設けられた側と反対のステープラ１Ａの後側に、ステープラ１Ａに対して着脱可能に取り付けられる。
【００４８】
＜画像形成システム及び後処理装置の構成例＞
図５は、本実施の形態の画像形成システムの概要を示す構成図、図６は、本実施の形態の後処理装置の一例を示す構成図である。
【００４９】
本実施の形態の画像形成システム５００Ａは、画像形成装置５０１Ａと、少なくとも１種類の処理が可能な後処理装置５０２Ａを備える。画像形成装置５０１Ａは、装置内または外部の図示しない給紙部から繰り出した用紙Ｐに画像を形成して出力する。画像形成装置５０１Ａは、本例では、走査露光による静電潜像の形成、トナーによる静電潜像の現像、トナーの用紙への転写及び定着により用紙Ｐに画像を形成する。
【００５０】
本実施の形態の後処理装置５０２Ａは、綴じ部５０３Ａにステープラ１Ａを備える。綴じ部５０３Ａは、画像形成装置５０１Ａから出力された用紙Ｐを積載する積載部５０４Ａを備える。
【００５１】
図６は、後処理装置５０２Ａの綴じ部５０３Ａを上側から見た図である。ステープラ１Ａは、図６に示すように、積載部５０４Ａに積載された用紙Ｐの一方の角部を綴じる第１の位置Ｐｐ１、用紙Ｐの辺ＰＬに沿った任意の箇所を綴じる第２の位置Ｐｐ２、用紙Ｐの他方の角部を綴じる第３の位置Ｐｐ３に、図示しない移動部により移動する。本例では、第１の位置Ｐｐ１は、ホームポジション（ＨＰ）である基準位置を兼ねる。カット針収納部６Ａの着脱は、本例では、第１の位置Ｐｐ１にステープラ１Ａを移動させ、扉５０５Ａを開くことで行われる。
【００５２】
＜本実施の形態のステープラの作用効果例＞
図７（ａ）及び図７（ｂ）は、従来のステープラで用紙を綴じる動作及び課題を示す説明図である。
【００５３】
ステープラ１Ａは、図１に示すように、軸３２Ａを支点とした回転動作で針打出ユニット２Ａに対して綴じユニット３Ａが開閉する。これにより、綴じられる用紙Ｐの枚数が増加すると、用紙Ｐの束の厚さｔが増加するので、第１の挟持部４０Ａと第２の挟持部４１Ａとの間に所定枚数以上、例えば、第１の挟持部４０Ａと第２の挟持部４１Ａとが平行に対向する枚数以上の用紙Ｐが挟持される場合、用紙挟持部４Ａの間隔は、第１の挟持部４０Ａが設けられている位置より、軸３２Ａに近い用紙位置規制部４２Ａ側が狭くなる。
【００５４】
図７（ａ）及び図７（ｂ）に示す従来のステープラは、用紙退避部４３Ａが設けられておらず、挟持台４５Ｂは、第１の挟持部４０Ｂが用紙位置規制部４２Ａまで連続した形状である。針１０Ａによる用紙Ｐの綴じ位置Ｐｉと用紙Ｐの端部Ｐｅとの距離Ｌ１が短い場合、図７（ａ）に示すように、用紙挟持部４Ａに対する用紙Ｐの挿入量が少ない。
【００５５】
この場合、用紙退避部４３Ａが設けられていなくても、第１の挟持部４０Ｂと第２の挟持部４１Ａとの間に用紙Ｐを挟持する動作で、綴じ位置Ｐｉに対向する部位の第２の挟持部４１Ａ及び押圧凸部４４Ａが用紙Ｐに接する。
【００５６】
これにより、針１０Ａの針足１２Ａが用紙Ｐを貫通する力に対し、用紙Ｐを綴じ位置Ｐｉで押さえることができ、用紙Ｐの変形やずれを抑制することで、針１０Ａの針足１２Ａが矢印ｒ方向に曲がることが抑制される。
【００５７】
しかし、針１０Ａによる用紙Ｐの綴じ位置Ｐｉと用紙Ｐの端部Ｐｅとの距離Ｌ２が長い場合、図７（ｂ）に示すように、用紙挟持部４Ａに対する用紙Ｐの挿入量が大きく、用紙Ｐの端部Ｐｅが用紙位置規制部４２Ａに近接する位置まで挿入される。
【００５８】
この場合、用紙退避部４３Ａが設けられていないことにより、第１の挟持部４０Ｂと第２の挟持部４１Ａとの間に用紙Ｐを挟持する動作で、用紙位置規制部４２Ａに近い側で第２の挟持部４１Ａが用紙Ｐと接してしまい、綴じ位置Ｐｉに対向する部位の第２の挟持部４１Ａ及び押圧凸部４４Ａが用紙Ｐに接しない。このため、綴じ位置Ｐｉに対向する部位の第２の挟持部４１Ａ及び押圧凸部４４Ａと用紙Ｐとの間に隙間ｔａが生じる。
【００５９】
これにより、針１０Ａの針足１２Ａが用紙Ｐを貫通する力に対し、用紙Ｐを綴じ位置Ｐｉで押さえることができず、用紙Ｐが矢印ｕ方向に押されて、一点鎖線で示すように変形する。このような用紙Ｐの変形やずれにより、用紙Ｐを貫通する針１０Ａの針足１２Ａが、用紙Ｐの挿入方向の手前側である矢印ｒ方向に曲がりやすい。針足１２Ａの曲がり量が大きくなると、針足１２Ａの先端がカット部３０Ａ及びクリンチャ部３１Ａに入らず、綴じ不良が発生する可能性がある。
【００６０】
これに対し、本実施の形態のステープラ１Ａでは、挟持台４５Ａに用紙退避部４３Ａを設けることで、図２に示すように、針１０Ａによる用紙Ｐの綴じ位置Ｐｉと用紙Ｐの端部Ｐｅとの距離Ｌ２が長い場合でも、用紙Ｐの端部Ｐｅ側を針打出ユニット２Ａ方向に退避させることができる。よって、第１の挟持部４０Ａと第２の挟持部４１Ａとの間に用紙Ｐを挟持する動作で、綴じ位置Ｐｉに対向する部位の第２の挟持部４１Ａ及び押圧凸部４４Ａが用紙Ｐに接する。
【００６１】
これにより、針１０Ａの針足１２Ａが用紙Ｐを貫通する力に対し、用紙Ｐを綴じ位置Ｐｉで押さえることができ、用紙Ｐの変形やずれを抑制することで、針１０Ａの針足１２Ａが、用紙Ｐの挿入方向の手前側である矢印ｒ方向に曲がることが抑制される。よって、用紙Ｐを貫通した針足１２Ａの先端を、カット部３０Ａ及びクリンチャ部３１Ａに入れることができ、確実に用紙Ｐを綴じることができる。
【００６２】
＜本実施の形態のステープラの変形例＞
本実施の形態のステープラ１Ａでは、第２の挟持部４１Ａにおいて、綴じ位置Ｐｉと対向する位置から用紙位置規制部４２Ａまでの間を凹状として、用紙退避部４３Ａを形成しても良い。これにより、用紙退避部４３Ａは、第１の挟持部４０Ａと第２の挟持部４１Ａのどちらか一方に形成しても良いし、両方に形成しても良い。
【００６３】
また、用紙挟持部４Ａに針カートリッジ１００Ａが露出する構成ではなく、挟持台４５Ａを針打出ユニット２Ａのケース等で構成し、この挟持台４５Ａに第１の挟持部４０Ａと用紙退避部４３Ａを形成しても良い。
【００６４】
更に、用紙挟持部４Ａにおける用紙Ｐの挿入位置は、後処理装置５０２Ａ側の搬送機構で制御されるので、用紙位置規制部４２Ａを設けない構成としても良い。
【符号の説明】
【００６５】
１Ａ・・・ステープラ、１０Ａ・・・針、１２Ａ・・・針足、２Ａ・・・針打出ユニット、２１Ａ・・・繰り出し部、２２Ａ・・・打出部、３Ａ・・・綴じユニット、３０Ａ・・・カット部、３１Ａ・・・クリンチャ部、３２Ａ・・・軸、４Ａ・・・用紙挟持部、４０Ａ・・・第１の挟持部、４１Ａ・・・第２の挟持部、４２Ａ・・・用紙位置規制部、４３Ａ・・・用紙退避部、４４Ａ・・・押圧凸部、４５Ａ・・・挟持台、５Ａ・・・駆動部、６Ａ・・・カット針収納部、１００Ａ・・・針カートリッジ、１０１Ａ・・・針ガイド部、１０２Ａ・・・ガイド部材、１０３Ａ・・・ケース
【図１】
2018069638.tif 000003
【図２】
2018069638.tif 000004
【図３】
2018069638.tif 000005
【図４】
2018069638.tif 000006
【図５】
2018069638.tif 000007
【図６】
2018069638.tif 000008
【図７】
2018069638.tif 000009